(57)【特許請求の範囲】
【請求項１】
チルトバルブを備えたエアゾール容器におけるマウンテンカップの中央から突出するステムにスパウト部材が取り付けられたエアゾール容器であって、
前記スパウト部材は、先端に内溶液を吐出させる液体噴射用開口を有し、該先端を内溶液の被塗布面に押し付けたり叩き付けたりすることによって、前記液体噴射用開口から内溶液を吐出させる略円錐形状のカバーボタンであり、
該カバーボタンは、円錐形状の末拡がりに拡がったスカート部と、該スカート部より下方の内側部分が空洞部となった下端部外側面とを備えており、
該下端部外側面は、全周に亘って前記スパウト部材の中心軸と略平行に切り立っており、該下端部外側面は、前記先端を押し付けたり叩き付けたりした際に、前記マウンテンカップの先端部を構成する弧状断面の円環状襟部の湾曲面に当接できるようになっており、
前記スパウト部材の下端部外側面には、前記円環状襟部の湾曲面と合致する湾曲面を有する弧状断面の凹溝が、前記下端部外側面の周上に設けられ、前記凹溝の湾曲面を前記マウンテンカップの円環状襟部に当接させるエアゾール容器。
【発明の詳細な説明】
【０００１】
【発明の属する技術分野】
本発明はチルトバルブを備えたエアゾール容器に関する。
【０００２】
【従来の技術及び発明が解決しようとする課題】
エアゾール容器から内溶液を吐出させるチルトバルブは、チルトバルブに取り付けられらたステムを傾倒することにより内容物を吐出させ、かかる傾倒を解除することにより吐出を停止させる。
【０００３】
チルトバルブに取付けられたステムには、先端に内溶液の吐出用開口を備えた略円錐形状のカバーボタン体であるスパウト部材が装着されており、このスパウト部材の先端を内溶液の被塗布面に押し付けたり叩き付けたりすることによって、このスパウト部材を介してステムを傾倒させる。
【０００４】
特開平１０−２７８９８１号公報には、図３に示すように、エアゾール容器５０のマウンテンカップ５１を覆って中央に円形開口を有する肩カバー５２を被せ、この肩カバー５２の内側壁面５３とスパウト部材５４の外側壁面５５とを当接させてスパウト部材５４の傾倒を制限したり、スパウト部材５４の下端をマウンテンカップ５１の中央陥没部５６の底面５７に当接させてスパウト部材５４の傾倒を制限するチルトバルブを備えたエアゾール容器が記載されている。
【０００５】
しかしながら、このようなステム５８の過度の傾倒を制限する従来の方法によれば、肩カバー５２とスパウト部材５４との当接は、肩カバー５２の平坦な内側壁面５３とスパウト部材５４の外側壁面５５の角張った部分との当接となっていたため、不安定な当接状態となると共に、当該当接部分に荷重が集中しやすい。
また、スパウト部材５４の下端をマウンテンカップ５１の底面５７に当接させる方法によれば、被塗布面に押し付けられるスパウト部材５４の先端と、かかる押し付け力を支持する当該当接部分との距離が長くなって、支持すべきモーメント力が大きくなり、かえってスパウト部材５４やステム５７への負荷が増大してこれらの破損等を生じやすくなる。
【０００６】
本発明は、ステムの過度の傾倒を制限するためのスパウト部材の外側壁面の当接状態を安定させて、スパウト部材やステムへの負荷を効果的に軽減することのできるエアゾール容器の提供を目的とする。
【０００７】
また、本発明は、肩カバーを用いることなくステムの過度の傾倒を制限するようにしたエアゾール容器の提供を目的とする。
【０００８】
【課題を解決するための手段】
本発明は、チルトバルブを備えたエアゾール容器におけるマウンテンカップの中央から突出するステムにスパウト部材が取り付けられたエアゾール容器であって、前記スパウト部材は、前記マウンテンカップの先端部を構成する弧状断面の円環状襟部の湾曲面に当接できる下端部外側面を有するエアゾール容器を提供することにより、上記目的を達成したものである。
【０００９】
ここで、上記記載におけるスパウト部材は、上記ステムに冠設されてステムの傾倒によるチルトバルブの開閉操作の良好な操作性を保持すると共に、エアゾール容器の体裁を整えるために取り付けられる公知の部材であって、ステムからさらに突出して装着されるカバーボタンを意味するものである。
【００１０】
【発明の実施の形態】
本発明の好ましい実施形態に係るエアゾール容器１０は、図１及び図２に示すように、例えば内溶液として育毛剤を円筒状の容器本体１８に収容し、容器本体１８を手で把持してスパウト部材１１の先端を頭に押し付けたり叩き付けたりすることによってマッサージを行いつつ、液体噴射用開口１２から内溶液を噴射吐出させて塗布することにより、頭皮及び毛髪の手入れを行う頭皮タッチ式のエアゾール容器１０として採用されたものである。
【００１１】
このエアゾール容器１０はチルトバルブ１３を備え、エアゾール容器１０の上端部分を構成するマウンテンカップ１４の中央から突出するステム１５にスパウト部材１１が取り付けられ、このスパウト部材１１を介してステム１５を傾倒させ、当該スパウト部材１１の先端の液体噴射用開口１２から内溶液を吐出させる。また、このエアゾール容器１０によれば、スパウト部材１１の下端部外側面１６を、マウンテンカップ１４の上端部を構成する弧状断面の円環状襟部１７の湾曲面に当接させて、ステム１５の過度の傾倒を制限する。
【００１２】
スパウト部材１１は、例えばポリエチレンからなる略円錐形状のカバーボタンであって、この円錐形状の末拡がりに拡がったスカート部２２より下方の下端部外側面１６は、その全周に亘って、スパウト部材１１の中心軸と略平行に切り立っている。
【００１３】
スパウト部材１１の内溶液流通路２４の下方に位置する下端部外側面１６の内側部分は空洞部２７となっていて、この空洞部２７にマウンテンカップ１４のチルトバルブ装着部２１が挿入配置されるようにしながら、下端部外側面１６を、円環状襟部１７の内方の陥没部２３の略中央部分まで深く挿入配置できるようになっている。
【００１４】
本実施形態によれば、円環状襟部１７よりも上方に位置するスパウト部材１１の下端部外側面１６の上端部分には、円環状襟部１７の湾曲面と合致する湾曲面を有する弧状断面の凹溝２９が、下端部外側面１６の周上に設けられている。この凹溝２９は、スパウト部材１１をその外側面が円環状襟部１７に当接するまで傾倒させた際に、その湾曲面が円環状襟部１７の湾曲面と合致して互いに密着するような位置に形成されている。
【００１５】
スパウト部材１１の球状先端部２５を頭皮に押し付けたり叩くことによって、頭皮に対して育毛剤を直接噴射することができる。すなわち、毛髪を通って地肌に達している球形先端部２５が頭皮と接触することにより負荷される力によって、スパウト部材１１及びこれと一体となったステム１５は傾倒し、チルトバルブ１３は開弁状態となって、毛髪活性剤は容器本体１８内から頭皮へと噴射吐出されると同時に、これらの動作によって頭皮のマッサージが行なわれる。
【００１６】
ここで、本実施形態のエアゾール容器１０によれば、育毛剤を吐出しながら頭皮のマッサージを行う動作の間、スパウト部材１１の傾きが大きくなると、スパウト部材１１の下端部外側面１６に形成された弧状断面の凹溝２９が、マウンテンカップ１４の円環状襟部１７の湾曲面に当接して、ステム１５の過度の傾倒が制限されることになる。また円環状襟部１７の湾曲面にスパウト部材１１の凹溝２９の湾曲面が面的に密着した状態で当接するので、当該当接部分において荷重を一点に集中させることなく分散した状態で支持することができると共に、当接部分がずれるのを効果的に防止して、押し付けたり叩く力が大きくなっても、安定した状態でステムの過度の傾倒を制限することが可能になる。
【００１７】
また、本実施形態のエアゾール容器１０によれば、従来技術のように肩カバーを介することなく、スパウト部材１１の外側壁面をマウンテンカップ１４の円環状襟部１７に直接当接させて過度の傾倒を制限するので、肩カバーを省略した分だけ経済的な構成を備えることになり、省資源化を図ることが可能になる。
【００１８】
さらに、本実施形態のエアゾール容器１０によれば、スパウト部材１１の下端部外側面１６を下方に下げ、マウンテンカップ１４の陥没部２３に深く挿入配置することによって、スパウト部材１１の球状先端部２５と、下端部外側面１６の当接部分との距離が必要以上に長くなるのを回避し、支持すべきモーメント力が過度に大きくなってスパウト部材１１やステム１５への負荷が増大してこれらが破損するのを効果的に防止することが可能になる。
【００１９】
すなわち、本実施形態のエアゾール容器１０によれば、ステム１５の過度の傾倒を制限するためのスパウト部材１１の下端部外側面１６の当接状態を安定させて、スパウト部材１１やステム１５への負荷を効果的に軽減することが可能になる。
【００２０】
スパウト部材の下端部外側面には、必ずしも弧状断面の凹溝を設ける必要はなく、平坦な下端部外側面をマウンテンカップの円環状襟部の湾曲面に当接させるようにしても良い。この場合にも、平坦面と湾曲面との当接によって、面的な当接に近い当接状態となり、安定した状態でステムの過度の傾倒を制限することが可能になる。また、本発明のエアゾール容器は、育毛剤を吐出するエアゾール容器に限定されることなく、その他の内溶液を吐出するチルトバルブを備えた種々のエアゾール容器として採用することもできる。
【００２１】
【発明の効果】
本発明のエアゾール容器によれば、肩カバーを用いることなく、過度の傾倒を制限するためのスパウト部材の外側壁面の当接状態を安定させて、スパウト部材やステムへの負荷を効果的に軽減することができる。
【図面の簡単な説明】
【図１】本発明の一実施形態に係るエアゾール容器の未使用時の状態を示す要部断面図である。
【図２】本発明の一実施形態に係るエアゾール容器の使用時の状態を示す要部断面図である。
【図３】従来のチルトバルブを備えたエアゾール容器を示す要部断面図である。
【符号の説明】
１０  エアゾール容器
１１  スパウト部材
１２  液体噴射用開口
１３  チルトバルブ
１４  マウンテンカップ
１５  ステム
１６  下端部外側面
１７  円環状襟部
１８  容器本体
２３  陥没部
２４  内溶液流通路
２５  球状先端部
２７  空洞部
２９  凹溝
【図１】
0004573379.tif 000002
【図２】
0004573379.tif 000003
【図３】
0004573379.tif 000004